(57)【要約】圧縮スリーブ（１）は、２シートの層状化材料を備え、これらの層は、溶接されて、これら２つの層の間に多数の機密性のチャンバ（Ｐ１、Ｐ２およびＰ３）を形成する。レストリクタ（５および６）は、チャンバ（Ｐ１、Ｐ２およびＰ３）を相互連結する。チャンバ（Ｐ２およびＰ３）はまた、大気への排気のための、所定のサイズのオリフィス（８および９）を有する。チャンバ（Ｐ１）をポンプ（２）に連結するコンジット（１４）を有するチャンバ（Ｐ１）が提供される。圧縮された空気は、コンジット（１４）によってチャンバ（Ｐ１）に供給される。圧縮された空気は、レストリクタ（５および６）を介して連続するチャンバ（Ｐ２およびＰ３）を膨張させて、各チャンバ（Ｐ２およびＰ３）への圧力における連続的な上昇を与える。大気へのオリフィス（８および９）は、各チャンバ（Ｐ２およびＰ３）の漏出速度を制御する。
2004534613.tif 000002
【特許請求の範囲】
【請求項１】
一連の膨張可能なチャンバおよび制御手段を備える圧縮スリーブであって、第一の該チャンバは、流体供給源に連結され、該一連のチャンバの各々は、該チャンバが時間および圧力に関して連続的に膨張するように相互連結され、該制御手段は、該チャンバの各々において膨張圧力および膨張時間を制御し、そして該スリーブ内に位置する、圧縮スリーブ。
【請求項２】
前記一連のチャンバの各々が、排気のための手段を有する、請求項１に記載の圧縮スリーブ。
【請求項３】
前記チャンバが、レストリクタによって互いに相互連結されている、請求項１または２に記載の圧縮スリーブ。
【請求項４】
前記レストリクタが、必要とされる空気流制限を与えるに十分な長さの薄い非可撓性チューブを備える、請求項３に記載の圧縮スリーブ。
【請求項５】
アンチキンクデバイスが、「羊飼いの杖」形状を有するレストリクタを備える、請求項１、２または３に記載の圧縮スリーブ。
【発明の詳細な説明】
【技術分野】
【０００１】
本発明は、膨張可能な装置、詳細には、一般治療処置、ならびに血管障害および水腫の処置における使用のための圧縮スリーブに関する。
【背景技術】
【０００２】
本発明より前、血流速度を増すために、圧縮圧を患者の肢に加えるための種々の圧縮デバイスが、当該分野で公知であった。
【０００３】
これは、連続圧縮デバイスを有することが知られており、このデバイスは、スリーブ内の複数のチャンバを連続的に膨張させて、ピーク時の血流速度を増加させる圧縮空気の断続的なパルスを提供し、深静脈血栓症（ＤＶＴ）の発生を低下させる非侵襲的な予防法を提供する。
【０００４】
一般的に、先行技術のこれらの連続圧縮デバイスは、肢の低い部分から上の部分へとスリーブの長手方向に沿って漸進的に配置された、複数の別々の流体圧力チャンバを備えるスリーブを有する。周期的な圧縮サイクルの間、加圧された流体の供給源から、これらのチャンバ内に圧力パルスを間欠的に形成するための手段が提供される。スリーブは、これらの圧縮サイクルの間、患者の肢に対して圧縮圧の勾配を提供し得、この勾配は、肢の低い部分から（例えば、足首から大腿へと）減る。
【０００５】
既知の多チャンバ圧縮スリーブは、各チャンバへの個別の供給ラインを有する。これらの供給ラインは、コンプレッサーユニットに戻り、そして多経路接続部（ｍｕｌｔｉｗａｙ  ｃｏｎｎｅｃｔｉｏｎｓ）を用いて連結される。各々のチャンバの膨張および収縮は、コンプレッサーユニット内の個別のソレノイド弁により制御される。
【０００６】
しかし、これらの既知のシステムは、以下の複雑さの不利益を欠点として有する：各チャンバを制御するために必要とされる部品の数、スリーブのフィット、ならびにスリーブに装着されるかさ高く複雑なチューブおよびコネクタシステムを操作する際の使用者の問題。
【発明の開示】
【課題を解決するための手段】
【０００７】
本発明は、より良いフィットを備える、より単純な連続圧縮システムを提供することを求め、そしてより制御された治療を提供し得る。
【０００８】
従って、本発明は、あるシリーズの膨張可能なチャンバ、流体供給源に接続された第１のチャンバ（このシリーズのチャンバの各々は、相互接続されて、その結果、これらのチャンバは、時間および圧力に関して連続的に膨張する）、ならびにスリーブ内のチャンバの圧力プロフィールを制御するための制御手段を備える圧縮スリーブを提供する。
【０００９】
好ましくは、このシリーズのチャンバの各々は、チャンバの間に圧力勾配を提供するために空気を排気する手段を有する。
【００１０】
好ましくは、制御手段は、所定のチャンバ上昇時間を提供し、そしてコンプレッサーに対する電力を所定のアルゴリズムにプログラミングすることにより、圧力を設定する。
【００１１】
本発明は、シリーズ内の各チャンバにおける制御手段および排気手段に起因して、先行技術のデバイスとは異なり、患者の肢に対する逆向きの圧力勾配なしにスリーブ収縮を提供する。
【００１２】
本発明の好ましい実施形態は、ここで、例示のみの目的で、添付の図面を参照して、詳細に記載される。
【００１３】
図１を参照して、スリーブ１は、ポンプ２から空気を供給される。このポンプは、閉じたループのコントロールデバイスにより駆動されるコンプレッサーからなり、このコントロールデバイスは、圧力変換器３からのフィードバック信号を有する。このポンプ２はまた、バルブ４を有し、このバルブは、空気供給を大気へと接続することを可能にする。
【００１４】
スリーブ１は、積層材料の２つのシートを含む。内部層は、ＰＶＣのＲＦ溶接可能な裏層へと積層される、通気性ポリエステルフォームからなる。
【００１５】
外部層は、ＰＶＣのＲＦ溶接可能な裏層へと積層される、ループパイル生地からなる。これらは、ＰＶＣ層と共に配置され、溶接されて、２つの層の間に多数の気密チャンバを形成する。
【００１６】
図２ａおよび２ｂに示されるように、スリーブの外側のプロフィールは、患者の脚の周りにフィットするように形成される。この脚の後は、スリーブの気胞領域の中心に配置され、そして２つの非対称的な側面が、周りにきて、脚の周りをスリーブで包み込む。
【００１７】
スリーブは、一方の縁に沿って、フックパイルタブ１０を有し、このタブは、スリーブの外側の層上の外側のループパイル生地と係合し、そして脚の所定の位置にスリーブを固定する。
【００１８】
スリーブは、足首から大腿まで脚を包み込みために、スリーブの長手方向に沿って配置された、３つのチャンバ、Ｐ１、Ｐ２およびＰ３へと細かく分けられる。
【００１９】
脚の周りに位置づけられた場合、チャンバＰ１は、足首領域に圧縮圧を加え；チャンバＰ２は、ふくらはぎ領域に圧縮圧を加え；そしてチャンバＰ３は、大腿領域に圧縮圧を加える。図２ａは、それぞれ、下部セクションおよび上部セクションへと各々分けられた、チャンバＰ１、チャンバＰ２、チャンバＰ３を示す。図２ｂは、任意の分離のない単一のチャンバとしての、チャンバＰ１、チャンバＰ２、チャンバＰ３を示す。
【００２０】
レストリクター５および６は、チャンバＰ１と、チャンバＰ２と、チャンバＰ３とを相互接続する。このレストリクターは、バルブ、溶接線中のブリードギャップ（ｂｌｅｅｄ  ｇａｐ）、または必要とされる気流制限を提供するのに十分に長い薄いＰＶＣチューブであり得る。チャンバＰ２およびＰ３はまた、空気の大気への排気のために所定のサイズの開口部８および９を有する。チャンバＰ１は、チャンバＰ１をポンプ２へと接続するコンジット１４を備える。
【００２１】
圧縮空気は、コンジット１４によってチャンバＰ１に供給され、このチャンバは膨張して、囲まれたリムに圧力を加え始める。スリーブが脚部周囲に伸びるにつれて、このスリーブは、機械的に、二層を一緒に保持する。空気圧がブラダーの２つの部分を膨張させるにつれて、この空気圧が、次第にブラダーを開き、このブラダーはレストリクター５と組み合わさって、その膨張経路に沿ってチャンバが膨張する際の時間遅延を与える。
【００２２】
次いで、圧縮空気は、レストリクター５を介して、チャンバＰ２内に流れ出る。チャンバＰ２は、同じ様式で次第に膨張し、そして空気が、レストリクター６を介してチャンバＰ３内に流れ出る。
【００２３】
初期膨張の際に、コンプレッサが、閉鎖ループ制御器によって駆動され、所定の圧力上昇を維持し、図３に示されるように、チャンバＰ１内に圧力を保持する。この圧縮空気は、チャンバ間のレストリクター５および６を通って、次のチャンバＰ２、Ｐ３を膨張させ、これによって、各チャンバＰ２およびＰ３に連続的な圧力上昇をもたらす。これらレストリクター５、６のプロフィールの特殊な「羊飼いの杖（ｓｈｅｐｈｅｒｄ’ｓ  ｃｒｏｏｋ）」形状は、アンチノッキング式デバイスである。各チャンバが膨張するにつれて、これらチャンバはまた、その「杖」内部の環状部分も膨張させる。これにより、レストリクターの各壁面が硬化し、レストリクターが空気の通過のために開き続けるのを補助する。
【００２４】
大気圧に対するオリフィス８および９は、各チャンバＰ２、Ｐ３からの漏出速度を制御し、そしてチャンバＰ１、Ｐ２、Ｐ３の間に所定の圧力勾配を与えるようにサイズ決めされる（図３参照）。この手段によって、圧力は、連続したチャンバＰ１、Ｐ２およびＰ３において低くなっていき、足首から下腿〜大腿まで圧力が変化する。あるいは、一方向バルブ１５、１６は、必要な場合、チャンバの急激な膨張手段を提供する。
【００２５】
コンプレッサからの予めプログラム化された空気送達に関連した、スリーブにおけるこれらの物理的特徴は、結果的に、時間内に連続的にチャンバを膨張させ、遠位チャンバＰ１から近位チャンバＰ３までの圧力勾配を増加させる、３つのチャンバのスリーブである。
【００２６】
また、このＰＶＣチュービングの代わりに、空気透過性開口セルポリエステル発泡体２２のストリップが、これら二層の間に溶接される。この発泡体２２は、狭い空気経路５、６が開口し続けるのを補助し、かつ患者の脚での使用の間に生じ得るスリーブの湾曲に起因する遮断を防止する。
【００２７】
急激な収縮を除いて、通常の使用の際に、チャンバの収縮は、最初にコンプレッサのスイッチを切り、圧力を遠位チャンバＰ１内に保持し、そしてこの圧力が、オリフィス８および９を通って連続したチャンバＰ２、Ｐ３内で、大気圧まで低下させることによって、達成される。次いで、所定の時間、ポンプ２の排出バルブ４を開いて、遠位チャンバＰ１が、他のチャンバＰ２、Ｐ３の後に供給コンジット１４を介して収縮するのを可能にする。
【００２８】
この２段階収縮は、臨床的に有害であると考えられている、ユーザの脚での逆圧勾配を防止するのを補助する。
【図面の簡単な説明】
【００２９】
【図１】図１は、本発明に従う圧縮スリーブの模式図である。
【図２ａ】図２ａは、本発明に従う圧縮スリーブの１つの実施形態の模式図である。
【図２ｂ】図２ｂは、本発明に従う圧縮スリーブのさらなる実施形態の模式図である。
【図３】図３は、スリーブにより達成される、時間に対する連続的な圧力の上昇の勾配を示すグラフである。
【図３】
2004534613.tif 000003
【国際公開パンフレット】
2004534613.tif 000004
2004534613.tif 000005
2004534613.tif 000006
2004534613.tif 000007
2004534613.tif 000008
2004534613.tif 000009
2004534613.tif 000010
2004534613.tif 000011
2004534613.tif 000012
2004534613.tif 000013
2004534613.tif 000014
2004534613.tif 000015
【国際調査報告】
2004534613.tif 000016
2004534613.tif 000017
2004534613.tif 000018